(57)【要約】  付せん固定ボタン表示部１２は、付せん８０を、貼り付け位置の変更が不能な貼り付け位置固定状態と、貼り付け位置の変更が可能な貼り付け位置可変状態とに切り替えるための付せん固定ボタン８１を表示する。付せん状態切替部１３は、付せん固定ボタン８１に対する指示体Ｆの接触操作に応じて、付せん８０を貼り付け位置可変状態と貼り付け位置可変状態とに切り替える。貼り付け位置設定部１４は、付せんが貼り付け位置可変状態であるときは、指示体Ｆの変位に応じて付せん８０の貼り付け位置を変更し、付せんが貼り付け位置固定状態であるときには、付せん８０の貼り付け位置を変更せずに固定する。
2016151921.tif 000002
【特許請求の範囲】
【請求項１】
タッチパネル表示部と、該タッチパネル表示部に対する指示体の接触位置を検知する接触位置検知部と、該接触位置検知部により検知された指示体の接触位置に応じて、前記タッチパネル表示部の表示を変更する制御部とを備えたタッチパネル装置による電子書籍の閲覧を支援する方法であって、
前記制御部が、前記タッチパネル表示部に電子書籍の閲覧画面を表示している状態で、指示体が前記タッチパネル表示部に対して付せんの作成を指示する接触をしたことが、前記接触位置検知部により検知されたときに、前記タッチパネル表示部に付せんを表示する付せん作成ステップと、
前記タッチパネル表示部に前記付せんが表示されているときに、前記制御部が、前記付せんを、貼り付け位置の変更が不能な貼り付け位置固定状態と、貼り付け位置の変更が可能な貼り付け位置可変状態とに切り替えるための付せん固定ボタンを、前記タッチパネル表示部に表示する付せん固定ボタン表示ステップと、
前記付せんが前記貼り付け位置固定状態であるときに、前記制御部が、前記付せん固定ボタンに対する指示体の接触が前記接触位置検知部により検知されたときは、前記付せんを前記貼り付け位置可変状態に切り替え、前記付せんが前記貼り付け位置可変状態であるときに、前記付せん固定ボタンに対する指示体の接触が検知されたときには、前記付せんを前記貼り付け位置固定状態に切り替える付せん状態切替ステップと、
前記付せんに接触した指示体が変位したことが、前記接触位置検知部により検知されたときに、前記制御部が、前記付せんが前記貼り付け位置可変状態であるときは、該変位に応じて前記付せんの貼り付け位置を変更し、前記付せんが前記貼り付け位置固定状態であるときには、前記付せんの貼り付け位置を変更せずに固定する貼り付け位置設定ステップと
を含むことを特徴とする電子書籍の閲覧支援方法。
【請求項２】
タッチパネル表示部と、該タッチパネル表示部に対する指示体の接触位置を検知する接触位置検知部と、該接触位置検知部により検知された指示体の接触位置に応じて、前記タッチパネル表示部の表示を変更する制御部とを備えたタッチパネル装置において、該制御部により実行される電子書籍の閲覧支援用プログラムであって、
前記制御部を、
前記タッチパネル表示部に電子書籍の閲覧画面が表示されている状態で、指示体が前記タッチパネル表示部に対して付せんの作成を指示する接触をしたことが、前記接触位置検知部により検知されたときに、前記タッチパネル表示部に付せんを表示する付せん作成部と、
前記タッチパネル表示部に前記付せんが表示されているときに、前記付せんを、貼り付け位置の変更が不能な貼り付け位置固定状態と、前記付せんの貼り付け位置の変更が可能な貼り付け位置可変状態とに切り替えるための付せん固定ボタンを、前記タッチパネル表示部に表示する付せん固定ボタン表示部と、
前記付せんが前記貼り付け位置固定状態であるときに、前記付せん固定ボタンに対する指示体の接触が前記接触位置検知部により検知されたときは、前記付せんを前記貼り付け位置可変状態に切り替え、前記付せんが前記貼り付け位置可変状態であるときに、前記付せん固定ボタンに対する指示体の接触が検知されたときには、前記付せんを前記貼り付け位置固定状態に切り替える付せん状態切替部と、
前記付せんに接触した指示体が変位したことが、前記接触位置検知部により検知されたときに、該付せんが前記貼り付け位置可変状態であるときは、該変位に応じて該付せんの貼り付け位置を変更し、該付せんが前記貼り付け位置固定状態であるときには、該付せんの貼り付け位置を変更せずに固定する貼り付け位置設定部と
して機能させることを特徴とする電子書籍の閲覧支援用プログラム。
【請求項３】
請求項２に記載の電子書籍の閲覧支援用プログラムにおいて、
前記貼り付け位置設定部は、前記付せんに接触した指示体が変位したことが、前記接触位置検知部により検知されたときに、前記付せんが前記貼り付け位置固定状態であるときには、該変位に応じて前記付せんの位置を変更し、その後、指示体が前記せんから離れたことが前記前記接触位置検知部により検知されたときには、前記付せんを変更前の位置に戻すことによって、前記付せんの貼り付け位置を固定することを特徴とする電子書籍の閲覧支援用プログラム。
【請求項４】
請求項２に記載の電子書籍の閲覧支援用プログラムにおいて、
前記付せん固定ボタン表示部は、前記付せんが前記貼り付け位置固定状態であるときの前記付せん固定ボタンの表示と、前記付せんが前記貼り付け位置可変状態であるときの前記付せん固定ボタンの表示とを、異なる態様とすることを特徴とする閲覧支援用プログラム。
【請求項５】
請求項２に記載の電子書籍の閲覧支援用プログラムにおいて、
前記付せん作成部は、指示体が前記付せんの作成を指示する接触をしたことが、前記接触位置検知部により検知されたときに、第１サイズの付せんを表示し、指示体による該第１サイズの付せんに対する接触に応じて、該第１サイズの付せんへの注記の書き込み処理を行い、指示体による書き込み完了を指示する接触が、前記接触位置検知部により検知されたときに、該第１サイズの付せんを第２サイズに縮小し、
前記付せん状態切替部は、前記第２サイズの付せんを対象として前記貼り付け位置固定状態と前記貼り付け位置可変状態とを切替え、
前記貼り付け位置設定部は、前記第２サイズの付せんを対象として前記貼り付け位置の変更と固定とを行う
ことを特徴とする電子書籍の閲覧支援用プログラム。
【請求項６】
請求項２に記載の電子書籍の閲覧支援用プログラムにおいて、
前記付せん生成部は、指示体が前記付せんの作成を指示する接触をしたことが、前記接触位置検知部により検知されるごとに、新たな付せんを前記タッチパネル表示部に表示し、
前記タッチパネル表示部に複数の付せんが重なって表示されているときに、最前面に表示されている付せんに指示体が接触したことが、前記接触位置検知部により検知されたときには、最前面に表示されていた付せんを最背面に表示すると共に、最前面の次に表示されていた付せんを最前面に表示する重なり順変更処理を行う重なり順変更部を備えたことを特徴とする電子書籍の閲覧支援用プログラム。
【発明の詳細な説明】
【技術分野】
【０００１】
本発明は、タッチパネル表示装置による電子書籍の閲覧を支援するための方法及びプログラムに関する。
【背景技術】
【０００２】
従来、タッチパネル装置（タブレット端末、スマートホン、パソコン等のタッチパネル表示部を備えた装置）による電子書籍の閲覧を容易にするために、紙の書籍を閲覧する場合と同様に、付せん紙にメモ書きをして注目箇所に貼り付ける作業を、電子書籍の閲覧画面におけるタッチ操作で行えるようにした構成が提案されている（例えば、特許文献１，２参照）。【０００３】
特許文献１には、閲覧画面において重なる位置に表示された二枚の付せん紙（親付せん紙及び子付せん紙）について、子付せん紙に設定されたデータを入力データとして、親付せん紙に設定されたアプリケーションを実行する構成が記載されている。【０００４】
また、特許文献２には、電子書籍の複数ページが重ねて表示された閲覧画面において、使用者が作成した付せんを、既に作成された他の付せんと重ならない位置に整列配置させる構成が記載されている。
【先行技術文献】
【特許文献】
【０００５】
【特許文献１】特開２０１１−１３７４３号公報
【特許文献２】特開２０１１−４３８９５号公報
【発明の概要】
【発明が解決しようとする課題】
【０００６】
特許文献１，２に記載された構成のように、タッチパネル装置により電子書籍を閲覧する際に、付せんによるマーキング機能を提供するときには、紙の書籍の閲覧時に付せん紙を貼り付ける場合と同様の使い勝手が得られることが望ましい。【０００７】
本発明は上記背景に鑑みてなされたものであり、タッチパネル装置により電子書籍の閲覧を行うときに、付せんによるマーキング機能の使い勝手を向上させることができる電子書籍の閲覧支援方法、及び電子書籍の閲覧支援用プログラムを提供することを目的とする。
【課題を解決するための手段】
【０００８】
本発明は上記目的を達成するためになされたものであり、本発明の電子書籍の閲覧支援方法は、
タッチパネル表示部と、該タッチパネル表示部に対する指示体の接触位置を検知する接触位置検知部と、該接触位置検知部により検知された指示体の接触位置に応じて、前記タッチパネル表示部の表示を変更する制御部とを備えたタッチパネル装置による電子書籍の閲覧を支援する方法であって、
前記制御部が、前記タッチパネル表示部に電子書籍の閲覧画面を表示している状態で、指示体が前記タッチパネル表示部に対して付せんの作成を指示する接触をしたことが、前記接触位置検知部により検知されたときに、前記タッチパネル表示部に付せんを表示する付せん作成ステップと、
前記タッチパネル表示部に前記付せんが表示されているときに、前記制御部が、前記付せんを、貼り付け位置の変更が不能な貼り付け位置固定状態と、貼り付け位置の変更が可能な貼り付け位置可変状態とに切り替えるための付せん固定ボタンを、前記タッチパネル表示部に表示する付せん固定ボタン表示ステップと、
前記付せんが前記貼り付け位置固定状態であるときに、前記制御部が、前記付せん固定ボタンに対する指示体の接触が前記接触位置検知部により検知されたときは、前記付せんを前記貼り付け位置可変状態に切り替え、前記付せんが前記貼り付け位置可変状態であるときに、前記付せん固定ボタンに対する指示体の接触が検知されたときには、前記付せんを前記貼り付け位置固定状態に切り替える付せん状態切替ステップと、
前記付せんに接触した指示体が変位したことが、前記接触位置検知部により検知されたときに、前記制御部が、前記付せんが前記貼り付け位置可変状態であるときは、該変位に応じて前記付せんの貼り付け位置を変更し、前記付せんが前記貼り付け位置固定状態であるときには、前記付せんの貼り付け位置を変更せずに固定する貼り付け位置設定ステップとを含むことを特徴とする。【０００９】
かかる本発明によれば、前記制御部は、使用者（電子書籍の閲覧者）が、指示体（使用指、タッチペン等）を前記タッチパネル表示部に接触させて、付せんの作成を指示したときに、前記付せん作成ステップにより、前記タッチパネル表示部に付せんを表示すると共に、前記付せん固定ボタン表示ステップにより、前記タッチパネル表示部に前記付せん固定ボタンを表示する。【００１０】
そして、前記制御部は、使用者が前記付せん固定ボタンに指示体を接触させたときに、前記付せん状態切替ステップにより、付せんを前記貼り付け位置固定状態と前記貼り付け位置可変状態とに切り替える。また、前記制御部は、付せんが前記貼り付け位置可変状態であるときは、付せんに接触した指示体の変位に応じて付せんの貼り付け位置を変更し、前記貼り付け位置固定状態であるときには、付せんに接触した指示体が変位しても付せんの貼り付け位置を変更せずに固定する。【００１１】
そのため、使用者は、指示体の接触操作によって前記タッチパネル表示部に付せんを表示させた後、前記付せん固定ボタンに指示体を接触させて付せんを前記貼り付け位置可変状態とすることにより、紙の書籍を閲覧する場合と同様に、付せんの貼り直し操作を行うことができる。また、使用者は、前記付せん固定ボタンに指示体を接触させて付せんを前記貼り付け位置固定状態とすることにより、紙の書籍を閲覧する場合と同様に、付せんを注意箇所に貼り付けて固定することができる。このように、前記タッチパネルに表示された付せんに対して、紙の書籍を閲覧する場合と同様の貼り直しと貼り付け（固定）の操作を可能にすることによって、タッチパネル装置により電子書籍を閲覧する際の付せんによるマーキング機能の使い勝手を向上させることができる。【００１２】
次に、本発明の電子書籍の閲覧支援用プログラムは、
タッチパネル表示部と、該タッチパネル表示部に対する指示体の接触位置を検知する接触位置検知部と、該接触位置検知部により検知された指示体の接触位置に応じて、前記タッチパネル表示部の表示を変更する制御部とを備えたタッチパネル装置において、該制御部により実行される電子書籍の閲覧支援用プログラムであって、
前記制御部を、
前記タッチパネル表示部に電子書籍の閲覧画面が表示されている状態で、指示体が前記タッチパネル表示部に対して付せんの作成を指示する接触をしたことが、前記接触位置検知部により検知されたときに、前記タッチパネル表示部に付せんを表示する付せん作成部と、
前記タッチパネル表示部に前記付せんが表示されているときに、前記付せんを、貼り付け位置の変更が不能な貼り付け位置固定状態と、前記付せんの貼り付け位置の変更が可能な貼り付け位置可変状態とに切り替えるための付せん固定ボタンを、前記タッチパネル表示部に表示する付せん固定ボタン表示部と、
前記付せんが前記貼り付け位置固定状態であるときに、前記付せん固定ボタンに対する指示体の接触が前記接触位置検知部により検知されたときは、前記付せんを前記貼り付け位置可変状態に切り替え、前記付せんが前記貼り付け位置可変状態であるときに、前記付せん固定ボタンに対する指示体の接触が検知されたときには、前記付せんを前記貼り付け位置固定状態に切り替える付せん状態切替部と、
前記付せんに接触した指示体が変位したことが、前記接触位置検知部により検知されたときに、該付せんが前記貼り付け位置可変状態であるときは、該変位に応じて該付せんの貼り付け位置を変更し、該付せんが前記貼り付け位置固定状態であるときには、該付せんの貼り付け位置を変更せずに固定する貼り付け位置設定部と
して機能させることを特徴とする。【００１３】
かかる本発明の電子書籍の閲覧支援用プログラムを前記制御部に実行させることによって、上述した本発明の電子書籍の閲覧支援方法を行う構成を実現して、前記タッチパネル装置により電子書籍を閲覧する際の付せんによるマーキング機能の使い勝手を向上させることができる。【００１４】
また、本発明の電子書籍の閲覧支援用プログラムにおいて、
前記貼り付け位置設定部は、前記付せんに接触した指示体が変位したことが、前記接触位置検知部により検知されたときに、前記付せんが前記貼り付け位置固定状態であるときには、該変位に応じて前記付せんの位置を変更し、その後、指示体が前記せんから離れたことが前記前記接触位置検知部により検知されたときには、前記付せんを変更前の位置に戻すことによって、前記付せんの貼り付け位置を固定することを特徴とする。【００１５】
かかる本発明によれば、使用者は、前記貼り付け位置固定状態である付せんを一時的にずらして、付せんで隠れている部分の表示を確認することができる。【００１６】
また、本発明の電子書籍の閲覧支援用プログラムにおいて、
前記付せん固定ボタン表示部は、前記付せんが前記貼り付け位置固定状態であるときの前記付せん固定ボタンの表示と、前記付せんが前記貼り付け位置可変状態であるときの前記付せん固定ボタンの表示とを、異なる態様とすることを特徴とする。【００１７】
かかる本発明によれば、使用者は前記付せん固定ボタンの表示態様を視認することにより、前記タッチパネル表示部に表示された付せんが、前記貼り付け位置可変状態であるか前記貼り付け位置固定状態であるかを、容易に認識することができる。【００１８】
また、本発明の電子書籍の閲覧支援用プログラムにおいて、
前記付せん作成部は、指示体が前記付せんの作成を指示する接触をしたことが、前記接触位置検知部により検知されたときに、第１サイズの付せんを表示し、指示体による該第１サイズの付せんに対する接触に応じて、該第１サイズの付せんへの注記の書き込み処理を行い、指示体による書き込み完了を指示する接触が、前記接触位置検知部により検知されたときに、該第１サイズの付せんを第２サイズに縮小し、
前記付せん状態切替部は、前記第２サイズの付せんを対象として前記貼り付け位置固定状態と前記貼り付け位置可変状態とを切替え、
前記貼り付け位置設定部は、前記第２サイズの付せんを対象として前記貼り付け位置の変更と固定とを行うことを特徴とする。【００１９】
かかる本発明によれば、使用者は、前記１サイズの付せんに対して、容易に注記を書き込む操作を行うことができると共に、書き込みが終了して前記第１サイズから縮小された前記第２サイズの付せんにより、電子書籍の表示部を隠す面積を小さくして、付せんによるマーキングを行うことができる。【００２０】
また、本発明の電子書籍の閲覧支援用プログラムにおいて、
前記付せん生成部は、指示体が前記付せんの作成を指示する接触をしたことが、前記接触位置検知部により検知されるごとに、新たな付せんを前記タッチパネル表示部に表示し、
前記タッチパネル表示部に複数の付せんが重なって表示されているときに、最前面に表示されている付せんに指示体が接触したことが、前記接触位置検知部により検知されたときには、最前面に表示されていた付せんを最背面に表示すると共に、最前面の次に表示されていた付せんを最前面に表示する重なり順変更処理を行う重なり順変更部を備えたことを特徴とする。【００２１】
かかる本発明によれば、前記タッチパネル表示部に複数の付せんが重なって表示されていて、背面側の付せんに記入された文字等を視認することができないときに、使用者は、指示体を最前面に表示された付せんに接触させることにより、前記重なり順変更処理を実行させることができる。これにより、使用者は、背面に隠れていた付せんを最前面に入れ替えて、記入されている文字等を視認することができる。
【図面の簡単な説明】
【００２２】
【図１】本発明の電子書籍の閲覧支援方法、及び電子書籍の閲覧支援用プログラムが実行されるタッチパネル装置の外観説明図。
【図２】図１に示したタッチパネル装置の構成図。
【図３】付せんの作成処理のフローチャート。
【図４】付せんの貼り付け位置の設定処理のフローチャート。
【図５】付せんの作成を指示する操作の説明図。
【図６】付せんに対する注記の書き込み操作の説明図。
【図７】付せんの作成完了を指示する操作の説明図。
【図８】図８Ａ〜８Ｂは付せんに対する位置の変更を指示する操作の説明図であり、図８Ａは貼り付け位置可変状態である付せんに対する操作を示し、図８Ｂは貼り付け位置固定状態である付せんに対する操作を示す。
【図９】付せん（小）の削除を指示する操作の説明図。
【図１０】付せんの重なり順を変更する処理の説明図。
【図１１】電子書籍に貼られた付せんのデータを、サーバーにより管理する構成の説明図。
【図１２】図１２Ａ〜１２Ｂは付せんデータの説明図であり、図１２Ａは使用者の付せんデータを示し、図１２Ｂはグループの付せんデータを示す。
【発明を実施するための形態】
【００２３】
本発明の実施形態の一例について、図１〜図９を参照して説明する。
【００２４】
図１を参照して、本発明の電子書籍の閲覧支援方法及び電子書籍の閲覧支援用プログラムが実行されるタッチパネル装置１は、筐体の前面に配置されたタッチパネル表示部２０と、筐体内に配置されてタッチパネル表示部２０の表示を制御する制御部１０（図２参照）とを備えている。タッチパネル表示部２０は、例えば、液晶ディスプレイの表面に透明のタッチパネルを重ねて構成されている。
【００２５】
図１は、工具の電子カタログ（本発明の電子書籍に相当する）の閲覧画面４０が表示された状態を示しており、閲覧画面４０に表示されたページの右上コーナー（角部）の付近にインデックス５０が表示されている。インデックス５０は、閲覧画面４０に表示されているページが属する工具のジャンルを示している。また、閲覧画面４０の下部には、付せんの作成を指示するための付せん作成ボタン６０が表示されている。
【００２６】
本発明における電子書籍には、本実施形態で示した電子カタログの他に、雑誌、辞書、電話帳、取扱い説明書等の種々のジャンルの書籍が含まれる。
【００２７】
次に、図２を参照して、タッチパネル装置１には、制御部１０とタッチパネル表示部２０の他に、タッチパネル表示部２０に接触した指示体（使用者の指、タッチペン等）の位置を検知する接触位置検知回路２１（本発明の接触位置検知部に相当する）と、通信回路３０とを備えている。
【００２８】
制御部１０は、図示しないＣＰＵ、メモリ、インターフェース回路等により構成された電子回路ユニットであり、メモリに保持された電子書籍の閲覧支援用プログラムをＣＰＵにより実行することによって、後述する付せん作成部１１、付せん固定ボタン表示部１２、付せん状態切替部１３、貼り付け位置設定部１４、及び重なり順変更部１５として機能する。
【００２９】
制御部１０は、使用者によるタッチパネル表示部２０のタッチ操作に応じて、電子書籍の閲覧処理を行う。この場合、電子書籍のデータは、メモリに保持されていてもよく、通信回路３０により、通信ネットワーク１００を介して電子カタログサーバー１０１からダウンロードしてもよい。
【００３０】
次に、図３〜図４に示したフローチャートに従って、制御部１０により実行される付せんの作成及び作成された付せんの貼り付けの処理について説明する。
【００３１】
制御部１０は、使用者により電子書籍の閲覧アプリケーションの起動操作がなされたときに、このアプリケーションのプログラム（本発明の電子書籍の閲覧支援用プログラムを含む）をＣＰＵで実行して、図１に示したようにタッチパネル表示部２０に電子書籍の閲覧画面４０を表示する。電子書籍の閲覧アプリケーションのプログラムは、予めメモリに保持されていてもよく、電子カタログサーバー１０１等からダウンロードしてもよい。
【００３２】
そして、制御部１０の付せん作成部１１は、図３のフローチャートによる処理を実行して付せんを作成する。なお、付せん作成部１１による付せんの作成処理は、本発明の電子書籍の閲覧支援方法における付せん作成ステップに相当する。
【００３３】
付せん作成部１１は、図３のＳＴＥＰ１で、付せん作成ボタン６０（図１参照）に対する指示体（使用者の指、タッチペン等）の接触が、接触位置検知回路２１により検知されるのを待つ。
【００３４】
そして、図５に示したように、付せん作成ボタン６０に対する指示体Ｆの接触が接触位置検知回路２１により検知されたとき（使用者が付せん作成ボタン６０に対する接触操作を行ったとき）にＳＴＥＰ２に進み、付せん作成部１１は、付せん（大）７０（本発明の第１サイズの付せんに相当する）を表示する。
【００３５】
また、付せん作成部１１は、付せん（大）７０の右上端に、付せんの作成の取り消し（取りやめ）を指示するための取り消しボタン（「×」ボタン）７１を表示すると共に、付せん（大）７０の右下端に、付せんの作成の完了を指示するための作成完了ボタン（チェックボタン）７２を表示する。
【００３６】
さらに、付せん作成部１１は、作成する付せんを後述するローカル（個人使用）とグループ（共用使用）のどちらで使用するかを選択するための選択ボタン６１を表示する。
【００３７】
続くＳＴＥＰ３で、付せん作成部１１は、付せん（大）７０に対する指示体Ｆの接触が、接触位置検知回路２１により検知されているか否かを判断する。そして、付せん（大）７０に対する指示体Ｆの接触が検知されていないときは、ＳＴＥＰ４に進む。また、付せん（大）７０に対する指示体Ｆの接触が検知されているときはＳＴＥＰ２０に分岐し、図６に示したように、付せん作成部１１は、指示体Ｆの接触位置に応じて付せん（大）７０に注記を書き込んで表示し、ＳＴＥＰ４に進む。
【００３８】
ＳＴＥＰ４で、付せん作成部１１は、取り消しボタン７１に対する指示体Ｆの接触が接触位置検知回路２１により検知されているか否かを判断する。そして、取り消しボタン７１に対する指示体Ｆの接触が検知されていないときはＳＴＥＰ５に進む。また、取り消しボタン７１に対する指示体Ｆの接触が検知されているときはＳＴＥＰ３０に分岐し、付せん作成部１１は、付せん（大）７０の表示を消してＳＴＥＰ１に戻る。
【００３９】
ＳＴＥＰ５で、付せん作成部１１は、作成完了ボタン７２に対する指示体Ｆの接触（本発明の指示体による書き込み完了を指示する接触に相当する）が接触位置検知回路２１により検知されているか否か（使用者が作成完了ボタン７２に対する接触操作を行っているか否か）を判断する。そして、作成完了ボタン７２に対する指示体Ｆの接触が検知されていないときはＳＴＥＰ３に戻る。
【００４０】
一方、作成完了ボタン７２に対する指示体Ｆの接触が検知されているときにはＳＴＥＰ６に進み、付せん作成部１１は、付せん（大）７０を縮小して閲覧画面４０の中央部に移動し、付せん（小）８０（本発明の第２サイズの付せんに相当する）を閲覧画面４０の中央部に表示する。次のＳＴＥＰ７は貼り付け状態切替部１３による処理であり、貼り付け状態切替部１３は、付せん（小）８０を、貼り付け位置（表示を固定する位置）の変更が可能な「貼り付け位置可変状態」に設定する。
【００４１】
続くＳＴＥＰ８〜ＳＴＥＰ９の判断ループにより、制御部１０は、ＳＴＥＰ８で付せん（小）８０の右端に対する指示体の接触が検知されているか否かを判断し、また、ＳＴＥＰ９で付せん（小）の左端に対する指示体の接触が検知されているか否かを判断する。
【００４２】
ＳＴＥＰ８で、図９に示したように、指示体Ｆが付せん（小）８０の右端部に接触したことが、接触位置検知回路２１により検知されたときはＳＴＥＰ６０に分岐し、制御部１０は、付せん（小）８０の右端部に付せん削除ボタン８２を表示する。そして、指示体Ｆが付せん削除ボタン８２に接触したことが、接触位置検知回路２１により検知されたときに、制御部１０は、付せん（小）の表示を消す。
【００４３】
なお、制御部１０は、付せん削除ボタン８２を表示した後、指示体Ｆが付せん削除ボタン８２に接触しない状態（使用者による付せん削除ボタン８２に対する操作が無い状態）が一定時間以上継続した時に、付せん削除ボタン８２を消す。
【００４４】
また、ＳＴＥＰ９で、指示体Ｆが付せん（小）８０の左端に接触したことが、接触位置検知回路２１により検知されたときにはＳＴＥＰ１０に進む。ＳＴＥＰ７は、付せん固定ボタン表示部１２による処理である。付せん固定ボタン表示部１２は、図７に示したように、付せん（小）８０の左端部に付せん固定ボタン８１を表示する。
【００４５】
なお、付せん固定ボタン表示部１２は、指示体Ｆが付せん固定ボタン８１に接触しない状態（使用者による付せん固定ボタン８１に対する操作が無い状態）が一定時間以上継続した時に、付せん固定ボタン８１を消す。
【００４６】
付せん固定ボタン８１は、付せん（小）８０を、貼り付け位置（表示を固定する位置）の変更が可能な「貼り付け位置可変状態」と、貼り付け位置の変更が不能な「貼り付け位置固定状態」とに切り替えるためのボタンである。
【００４７】
付せん固定ボタン表示部１２は、付せん（小）８０が「貼り付け位置可変状態」であるときは、付せん固定ボタン８１を「−」表示とする。また、付せん固定ボタン表示部１２は、付せん（小）８０が「貼り付け位置固定状態」であるときには、付せん固定ボタンを「−」表示にする。
【００４８】
なお、付せん固定ボタン表示部１２により、タッチパネル表示部２０に付せん固定ボタン８１を表示する処理は、本発明の電子書籍の閲覧方法における付せん固定ボタン表示ステップに相当する。
【００４９】
次のＳＴＥＰ１０は貼り付け状態切替部１３による処理である。貼り付け状態切替部１３は、初期設定として、付せん（小）８０を「貼り付け位置可変状態」とする。これに応じて、付せん固定ボタン表示部１２は、固定ボタン８１を「｜」表示とする。
【００５０】
続く図４のＳＴＥＰ１１〜ＳＴＥＰ１２は、付せん状態切替部１３による処理である。付せん状態切替部１３は、ＳＴＥＰ１１で、付せん固定ボタン８１（「｜」表示状態）に対する指示体Ｆの接触が、接触位置検知回路２１により検知されたか否か（使用者が、付せん固定ボタン８１に対する接触操作を行ったか否か）を判断する。
【００５１】
そして、付せん固定ボタン８１（「｜」表示状態）に対する指示体Ｆの接触が検知されたときはＳＴＥＰ１２に進み、付せん状態切替部１３は、付せん（小）８０を「貼り付け位置固定状態」に切り替える。また、続くＳＴＥＰ１３で、付せん固定ボタン表示部１２
は、付せん固定ボタン８１を「−」表示に切り替える。
【００５２】
一方、ＳＴＥＰ１１で、付せん固定ボタン８１（「｜」表示状態）に対する指示体Ｆの接触が検知されていないときにはＳＴＥＰ４０に分岐する。
【００５３】
なお、付せん状態切替部１３により、付せん（小）８０を「貼り付け位置可変状態」と「貼り付け位置固定状態」とに切り替える処理は、本発明の電子書籍の閲覧支援方法における付せん状態切替ステップに相当する。
【００５４】
ＳＴＥＰ４０〜ＳＴＥＰ４１は、貼り付け位置設定部１４による処理である。貼り付け位置設定部１４は、ＳＴＥＰ４０で、付せん（小）８０に接触した指示体Ｆが変位したことが、接触位置検知回路２１により検知されたとき（使用者が、付せん（小）８０に指示体Ｆを接触させてスライド操作したとき）に、ＳＴＥＰ４１に進んで、図８Ａに示したように、指示体Ｆの変位に応じて付せん（小）８０の貼り付け位置を変更し、ＳＴＥＰ１１に戻る。
【００５５】
この場合、使用者は、紙の書籍を閲覧するときに付せん紙を貼り直すときと同様に、付せん（小）８０の貼り付け位置を任意に変更することができる。なお、図８Ａでは、「｜」表示状態の付せん固定ボタン８１を、８１ａで示している。また、ＳＴＥＰ４０で、付せん（小）８０に接触した指示Ｆの変位が検知されなかったときには、ＳＴＥＰ１１に戻る。
【００５６】
次に、ＳＴＥＰ１４及びＳＴＥＰ１４から分岐したＳＴＥＰ５０〜ＳＴＥＰ５２は、貼り付け位置設定部１４による処理である。貼り付け位置設定部１４は、ＳＴＥＰ１４で、付せん（小）８０に接触した指示体Ｆが変位したことが、接触位置検知回路２１により検知されたとき（使用者が、付せん（小）８０に指示体Ｆを接触させてスライド操作したとき）にＳＴＥＰ５０に進む。
【００５７】
そして、図８Ｂの左側の図に示したように、貼り付け位置設定部１４は、ＳＴＥＰ５０で、指示体Ｆの変位に応じて付せん（小）８０の位置を変更するが、付せん（小）８０の貼り付け位置は変更せずに固定した状態を維持する。なお、図８Ｂでは、「−」表示状態の付せん固定ボタン８１を８１ｂで示している。
【００５８】
すなわち、続くＳＴＥＰ５１で、指示体Ｆが付せん（小）８０から離れたことが、接触位置検知回路２１により検知されたときに、ＳＴＥＰ５２に進み、貼り付け位置設定部１４は、図８Ｂの右側の図に示したように、付せん（小）８０を変更前の位置に戻してＳＴＥＰ１４に進む。
【００５９】
このように、「貼り付け位置固定状態」である付せん（小）８０について、一時的に位置を変更できるようにすることで、使用者は、付せん（小）８０に隠れている記載部分を、付せん（小）８０をずらして確認することができる。
【００６０】
一方、ＳＴＥＰ１４で、付せん（小）８０に接触した指示体Ｆの変位が検知されていないときにはＳＴＥＰ１５に進む。ＳＴＥＰ１５〜ＳＴＥＰ１６は、付せん状態切替部１３による処理である。
【００６１】
付せん状態切替部１３は、ＳＴＥＰ１５で、付せん固定ボタン８１ｂに対する指示体Ｆの接触が、接触位置検知回路２１により検知されているか否かを判断する。そして、付せん固定ボタン８１ｂに対する指示体Ｆの接触が検知されたときはＳＴＥＰ１６に進み、付せん固定ボタン８１ｂに対する指示体Ｆの接触が検知されていないときにはＳＴＥＰ１４
に戻る。
【００６２】
ＳＴＥＰ１６で、付せん状態切替部１３は、付せん（小）８０を「貼り付け位置固定状態」に切り替える。また、続くＳＴＥＰ１７で、付せん固定ボタン表示部１２は、付せん固定ボタン８１を「｜」表示に変更してＳＴＥＰ４０に戻る。
【００６３】
なお、貼り付け位置設定部１４により、付せん（小）８０の貼り付け位置の変更と固定を行う処理は、本発明の電子書籍の閲覧支援方法における貼り付け位置設定ステップに相当する。
【００６４】
また、付せん作成部１１は、図３に示したＳＴＥＰ１〜ＳＴＥＰ６，ＳＴＥＰ２０の処理を繰り返すことで、複数の付せん（小）８０を作成する。この場合、作成する複数の付せん（小）８０の色を、互いに異なるように設定してもよい。そして、付せん固定ボタン表示部１２、付せん状態切替部１３、及び貼り付け位置設定部１４は、各付せん（小）８０に対して、付せん固定ボタン８１を表示して、各付せん（小）８０を「貼り付け位置可変状態」と「貼り付け位置固定状態」とに切り替える。
【００６５】
また、本実施形態では、付せん固定ボタン表示部１２は、付せん（小）８０が「貼り付け位置可変状態」であるときは付せん固定ボタンを「｜」表示とし、「貼り付け位置固定状態」であるときには付せん固定ボタン８１を「−」表示としたが、このように、「貼り付け位置可変状態」であるときと「貼り付け位置固定状態」であるときとで、付せん固定ボタン８１の表示態様を異ならせる処理を行わない場合にも、本発明の効果を得ることができる。
【００６６】
また、本実施形態では、付せん（小）８０が「貼り付け位置固定状態」であるときに、付せん（小）８０に接触した指示体Ｆの変位に応じて、付せん（小）８０の位置を一時的に変更する処理を行ったが、この処理を行わない場合にも本発明の効果を得ることができる。
【００６７】
次に、図１０を参照して、重なり順変更部１５による重なり順変更処理について説明する。付せん生成部１１は、上述した付せん作成の操作がなされる毎に新たな付せんを閲覧場面４０に表示する。また、各付せんの貼り付け位置は、使用者の移動操作に応じて変更される。
【００６８】
そのため、図１０の左側に示したように、複数の付せん８０−１，８０−２，８０−３が重なって表示される場合がある。そして、この場合、使用者は背面の付せん８０−２，８０−３に記入された文字等を視認することができない。
【００６９】
そこで、重なり順変更部１５は、最前面に表示された付せん８０−１に指示体Ｆが触れて、スライドすることなく付せん８０−１から離れたことが接触検知回路２１によって検知されたときに、図１０の右側に示したように、最前面に表示されていた付せん８０−１を最背面に表示すると共に、最前面の次に表示されていた付せん８０−２を最前面に表示する処理（重なり順変更処理）を行う。
【００７０】
このように、重なり順変更処理を行うことによって、図１０の左側の状態では視認することができなかった付せん８０−２の記入事項を、図１０の右側の状態として視認できるようにすることができる。
【００７１】
なお、使用者が、最前面に表示された付せん８０−１に触れた指示体Ｆを、付せん８０−１に触れたままスライドさせた場合には、付せん８０−１の表示位置を変更する操作となる。
【００７２】
次に、図１１〜図１２を参照して、サーバー（電子カタログサーバー）１０１による付せんデータの管理について説明する。
【００７３】
図１１は、各使用者（ユーザーＡ，Ｂ，Ｃ，…）が、各自のタッチパネル装置１ａ，１ｂ，１ｃ，…を使用して、通信ネットワーク１００を介して電子カタログのウェブサイトにＩＤとＰＷ（パスワード）を入力してアクセスし、電子カタログのデータをサーバー１０１からダウンロードして閲覧する態様を示している。
【００７４】
サーバー１０１は、使用者が閲覧中に貼り付けた付せんの情報を吸い上げて、各使用者の付せんデータ１１１，１１２，１１３，…と、各グループの付せんデータ１２１，１２２，１２３，…とを、記憶装置に保持する。ここで、グループとは、特定の電子書籍を複数の使用者間で共通して利用する場合に設定される。図１１の例では、ユーザーＡとユーザーＢがグループＧ１に属している。
【００７５】
各使用者のデータは、図１２Ａに示したように、電子書籍のページ（図１２Ａではページ１を例示）毎に、貼り付けられた各付せんのデータ（付せんＮｏ．，色，記入内容，貼り付け位置，固定／非固定，上下，サイズ）を保持して構成されている。
【００７６】
ここで、固定／非固定は、図８Ａ，図８Ｂに示した「貼り付け位置固定状態」と「貼り付け位置可変状態」に対応している。また、上下は、図１０Ａ，図１０Ｂに示した複数の付せんが重なっている場合に、最前面から何番目であるかを示している。また、サイズは、付せんのサイズを変更可能な仕様とした場合に対応するためのものであり、例えば、大・中・小の３サイズのいずれかが割り当てられる。
【００７７】
各グループの付せんデータも、各使用者のデータと同様に、図１２Ｂに示したように、電子書籍のページ毎に貼り付けされた各付せんのデータを保持して構成されている。使用者は、付せんを生成するときに、図５に示した選択ボタン６１にタッチすることによって、貼り付ける付せんをローカル（使用者が閲覧するときに表示する）と、グループ（グループに属する者が閲覧するときに表示する）のいずれかに切り替えることができる。
【００７８】
例えば、ユーザーＡが電子書籍の１ページ目を閲覧しているときには、サーバー１０１からタッチパネル装置１ａに対して、ユーザーＡの付せんデータ１１１の１ページ目にデータが保持された付せん、及び、ユーザーＡが属するグループ１の付せんデータ１２１の１ページ目にデータが保持された付せんを表示するデータがダウンロードされて、閲覧画面に表示される。
【００７９】
なお、本実施形態では、タッチパネル表示部２０に対して接触操作を行う指示体として、使用者の指を示したが、タッチペン等を指示体として用いてもよい。
【符号の説明】
【００８０】
１…タッチパネル装置、１０…制御部、１１…付せん作成部、１２…付せん固定ボタン表示部、１３…付せん状態切替部、１４…貼り付け位置設定部、１５…重なり順変更部、
２０…タッチパネル表示部、２１…接触位置検知回路、３０…通信回路、４０…閲覧画面、５０…インデックス、６０…付せん作成ボタン、７０…付せん（大）、７１…取り消しボタン、７２…作成完了ボタン、８０…付せん（小）、８１…付せん固定ボタン、８２…付せん削除ボタン、Ｆ…使用者の指（指示体）。
【図１】
2016151921.tif 000003
【図２】
2016151921.tif 000004
【図３】
2016151921.tif 000005
【図４】
2016151921.tif 000006
【図５】
2016151921.tif 000007
【図６】
2016151921.tif 000008
【図７】
2016151921.tif 000009
【図８】
2016151921.tif 000010
【図９】
2016151921.tif 000011
【図１０】
2016151921.tif 000012
【図１１】
2016151921.tif 000013
【図１２】
2016151921.tif 000014
【国際調査報告】
2016151921.tif 000015
2016151921.tif 000016
2016151921.tif 000017